(57)【要約】 【課題】  操作手段としての合鍵に簡単な工夫を施すことによって、全長（操作手段の挿入方向の長さ）が異なる２以上の錠前用シリンダーを「１本合鍵」でもって施・解錠方向なさんとすること。【解決手段】  同一構成の全長の異なるダンブラー錠に対して、二段式の第１肩部３及び第２肩部３Ａを設けたシリンダー錠用の合鍵。【選択図】  図２
2007191861.tif 000002
【特許請求の範囲】
【請求項１】
同一構成の全長の異なるダンブラー錠に対して、二段式の第１肩部３及び第２肩部３Ａを設けたシリンダー錠用の合鍵。
【請求項２】
請求項１に於いて、ダンブラー錠の鍵穴７ａ，７ｂの幅の大きさは、二段式の第１肩部３及び第２肩部３Ａに対応して異なることを特徴とするシリンダー錠用の合鍵。
【発明の詳細な説明】
【技術分野】
【０００１】
本発明は、シリンダー錠用の合鍵に関する。
【背景技術】
【０００２】
錠前用の鍵は、普通一般に扉の自由端部側の内壁面に面付け等の状態で取付けられた錠前を、解錠又は施錠するための操作手段であると認識されている。例えば複数の可動障害子（これは「タンブラー」と称されている）を有するシリンダー錠（以下、ここでは単に「シリンダー」という。）がサムターン装置とセットの状態で錠箱に取付けられ、扉の室外側からシリンダーの鍵穴に合鍵を差込むと、可動障害子が内筒体と外筒体のシャライン（内筒体が回転可能な状態）に揃うので、合鍵を時計方向或いは反時計方向へ所定量（９０度など）回転することができる。人々が、毎日、外出時や帰宅時に行っている行為である。
【０００３】
合鍵をシリンダーの鍵穴に挿入して解錠方向又は施錠方向へ回転操作すると、該操作力により、「ダルマ」と称される駆動腕が所定量回転して、デッドボルトと称される長板状の厚みのある施錠片が、戸枠の横向き凹所に設けた受け金具の蓋板状のストライクの矩形状係合孔に対して進退動（係脱）する。
【０００４】
ところで、シリンダーには、例えばロータリーシリンダ錠、ディスクシリンダ錠、ピンシリンダ錠又はマグネチックタンブラシリンダ錠などが存在している。
【０００５】
一方、合鍵は金属で成形され、かつ、ブレード部分の辺、側面、外周等に符合溝（コード）を有する機械的キーである。前述したように、シリンダーを施・解錠する際は、シリンダーの鍵孔に合鍵を直接差し込んで、かつ、所定量回転操作する訳であるが、その際、合鍵を所定の位置まで差し込まないと回転操作することができない。
【０００６】
付言すれば、合鍵は、操作部としての摘み部分（キーヘッド）と、該摘み部分から延びるブレード部分とから成るが、該摘み部分とブレード部分の境目には段差状の肩部（ストッパー部分）が存在し、該肩部がシリンダーを構成する内筒体の所定部位（嵌合溝の前面）にあたるまで差し込む必要がある。鍵孔に合鍵を中途半端に挿入しても、可動障害子に対して、合鍵のブレード部分の符合溝（コード）が一致しないから、内筒体を回すことができないのは周知の事実である。
【０００７】
さて、図１の（ａ）と（ｂ）は、全長の異なるシリンダーＡ、Ｂと、これらのシリンダーＡ、Ｂ用の合鍵Ｋ１、Ｋ２を示す。ここで、説明の便宜上、共通の符号を付す。１は合鍵Ｋ１、Ｋ２の摘み部分、２はコードとしてのブレード部分、３は段差状の肩部（ストッパー）、４はブレード部分の基部に相当する括れ状部分である。
【０００８】
一方、５はシリンダーＡ、Ｂの外筒体、６は内筒体、７は鍵穴である。さらに、ここでは、符号６ａを内筒体の前部、６ｂを内筒体の後部、９を操作力伝達部材（テールピース）、説明の便宜上、Ｌ１をシリンダーＡ並びに合鍵Ｋ１のブレード部分２の長さ、Ｌ２をシリンダーＢ並びに合鍵Ｋ２のブレード部分２の長さとする。なお、シリンダーＡ（Ｂ）の全長と合鍵Ｋ１（Ｋ２）のブレード部分２の長さは厳密には違う。
【０００９】
Ｌ１とＬ２の長さを対比すると、Ｌ１＞Ｌ２であることが一目瞭然であるが、２つのタイプのシリンダーＡ、Ｂは、前述したように、それぞれ図示しないタンブラーと称する可動障害子を鍵穴７方向に複数枚並列されているから、その基本的構成は同一である。
【００１０】
しかしながら、Ａタイプ（長い方）のシリンダーを施・解錠する際には、ブレード部分２が長いＬ１の合鍵Ｋ１を使用する必要があり、一方、Ｂのシリンダーを施・解錠する際には、ブレード部分２が短いＬ２の合鍵Ｋ１を使用する必要がある。その理由は、シリンダーＡ、Ｂの内筒体に前部７ａの係合前面に対して、合鍵Ｋ１、Ｋ２の段差状の肩部３が当たらないと、いわゆる「コード不一致」であり、それぞれの内筒体６を回すことができないからである。
【００１１】
したがって、従来は、全長が異なる２以上の錠前用シリンダーＡ、Ｂに対して、「１本の合鍵」でもって施・解錠方向することができないという問題点があった。
【特許文献１】特開２００２−３５７０３１号公報
【特許文献２】特開２００２−１８０７１０号公報
【非特許文献１】意匠公報第１１７９３２１号
【発明の開示】
【発明が解決しようとする課題】
【００１２】
本発明の目的は、操作手段としての合鍵に簡単な工夫を施すことによって、全長（操作手段の挿入方向の長さ）が異なる２以上の錠前用シリンダーを「１本合鍵」でもって施・解錠方向なさんとすることである。したがって、本発明は、内部構造が同一のシリンダーの長さが異なっていても、それぞれのシリンダーに対応する合鍵を複数個持ち歩く必要性がないという利点がある。
【課題を解決するための手段】
【００１３】
本発明のシリンダー錠用の合鍵は、同一構成の全長の異なるダンブラー錠に対して、二段式の第１肩部３及び第２肩部３Ａを設けダンブラー錠の鍵穴７ａ，７ｂの幅の大きさは、二段式の第１肩部３及び第２肩部３Ａに対応して、大きさが異なるたことを特徴とする。
【発明の効果】
【００１４】
（１）内部構造が同一のシリンダーの長さが異なっていても、別々の合鍵Ｋ１、Ｋ２が不必要であり、同一の合鍵Ｋ３で施・解錠することができる。
（２）合鍵に二段形式の肩部（ショルダー）３、３Ａを形成するだけで良いから、コロンブスの卵の如く、簡単な工夫により合鍵の数を減らすことができる。それ故に、合鍵を複数個持ち歩く煩わしさから解放される。
【発明を実施するための最良の形態】
【００１５】
以下、図２に示す本発明を実施するための最良の形態により説明する。背景技術での詳細説明及び図１の（ａ）と（ｂ）で用いた符号をそりまま援用して、重複する説明を省略する。
【００１６】
まず、２種類のシリンダーＡ、Ｂの全長Ｌ１、Ｌ２は、それぞれ異なる。これらのシリンダーＡ、Ｂの全長が異なる理由は、前者のシリンダーＡは、例えば図示しない１１枚のタンブラーを内蔵しているのに対して、後者のシリンダーＢは８枚のタンブラーを内蔵しているからである。したがって、シリンダーＡ、Ｂの全長Ｌ１、Ｌ２はタンブラーの枚数によって相対的に設定され得る。
【００１７】
次に、本実施例では、シリンダーＡの鍵穴７ａの幅は、シリンダーＡが普通一般的に使用されるタイプであることから、いわゆる標準である。鍵穴７ａの幅を標準（基準）とすると、前述したようにＬ１＞Ｌ２であることから、シリンダーＢの鍵穴７ｂの幅は短い。換言すれば、合鍵Ｋ３の二段形式の肩部（ショルダー）３、３Ａと内筒体６の前部６ａの所定部位（例えば嵌合溝の前面）との当り関係を考慮した場合、シリンダーＢの鍵穴７ｂの幅をシリンダーＡの鍵穴７ａのそれよりも短く設定しても良いからである。
【００１８】
しかして、前記合鍵Ｋ３は、摘み部分１と、基部に括れ状部分を有しないブレード部分２Ａと、摘み部分１の先端部分に段差状に形成された第１肩部３（これを「標準肩部」とする。）と、ブレード部分２Ａの基部側に段差状に形成され、かつ、前記第１肩部３よりも幅が短い第２肩部３Ａとから成る。
【００１９】
付言すると、合鍵Ｋ３をシリンダーＡの鍵穴７ａに差し込んだ場合には、第１肩部３がシリンダーＡの内筒体６の前部６ａの所定部位に当り、一方、合鍵Ｋ３をシリンダーＢの鍵穴７ｂに差し込んだ場合には、標準肩部よりも短い第２肩部３ＡがシリンダーＢの内筒体６の前部６ａの所定部位に当たる。
【００２０】
であるから、本発明の合鍵Ｋ３は、同一構成の全長の異なるダンブラー錠に対して、１本の合鍵Ｋ３で施錠及び解錠することができる（合鍵Ｋ３は共用鍵）。
【実施例】
【００２１】
発明の実施の形態で示した実施例に於いて、ダンブラー錠の鍵穴７ａ，７ｂの幅の大きさは、二段式の第１肩部３及び第２肩部３Ａに対応して、大きさが異なる。また、合鍵Ｋ３は一例を示したものであり、例えばブレード部分２Ａを長い柱状に形成して、その外周に二段式の第１肩部３及び第２肩部３Ａの設けても良い。また、ブレード部分２Ａの二辺に係合溝が形成されているタイプでも良いことはもちろんである。
【産業上の利用可能性】
【００２２】
本発明は、主に建具の業界で利用される。
【図面の簡単な説明】
【００２３】
【図１】（ａ）、（ｂ）は従来の一例を示す概略説明図。
【図２】本発明の最良の実施例を示す概略説明図
【符号の説明】
【００２４】
Ａ…シリンダー、Ｂ…シリンダー、Ｌ１，Ｌ２…２種類のシリンダーＡ、Ｂのそれぞれの全長、Ｋ３…鍵、１…摘み部分、２Ａ…ブレード部分、３…第１肩部、３Ａ…第２肩部、５…外筒体、６…内筒体、６ａ…内筒体６の前部、６ｂ…内筒体の後部、７…鍵穴、７ａ…シリンダーＡの鍵穴、７ｂ…シリンダーＢの鍵穴。
【図１】
2007191861.tif 000003
【図２】
2007191861.tif 000004